(57)【要約】【課題】  ＤＨＣＰ環境にある情報処理装置において、省電力制御のため、リース期間のたびにリジュームしてネットワークの接続を保持する場合において、消費電力が大きい装置に、より長いリース期間のＩＰアドレスを割り当てた方が効果的に省電力の制御をすることが可能であるが、そうした制御方法はなかった。【解決手段】  ＤＨＣＰのプロトコルにしたがってＩＰアドレスを取得したとき、プリンタＡは自機の消費電力ＷａとＤＨＣＰのリース期間Ｔａの情報を他機に送信する。その情報を受信したプリンタＢは取得した情報と、自機の消費電力Ｗｂ、リース期間Ｔｂの情報を比較する。Ｗａ＞ＷｂかつＴａ＜Ｔｂである場合、ＩＰアドレスの譲渡の操作を行う。  この制御により、個々のプリンタにおいては、消費電力の増減がある。しかし、消費電力が大きい装置にリース期間が長いＩＰアドレスを割り当てられることのより、ネットワーク全体の省電力化を行うことができる。【選択図】  図３
2007142954.tif 000002
【特許請求の範囲】
【請求項１】
ネットワークに接続された情報処理装置において、
ネットワーク接続時にＤＨＣＰのプロトコルに従いＩＰアドレスを取得することが可能なネットワーク制御手段と、
消費電力情報を取得する消費電力認識手段と、
ＩＰアドレスの取得を通知するＩＰアドレス取得通知手段と、
ＩＰアドレスの取得を通知するＩＰアドレス取得通知受信手段と、
前記ＩＰアドレス取得通知受信手段から得た情報を比較する情報比較手段と、
ＩＰアドレスの譲渡を申し出るＩＰアドレス譲渡申請手段と、
ＩＰアドレスの譲渡を申し出るＩＰアドレス譲渡申請受信手段と、
ＩＰアドレスの開放を要求するためのＩＰアドレス開放要求手段と、
ＩＰアドレスの開放を要求するためのＩＰアドレス開放要求受信手段と、
ＩＰアドレスの開放を通知するＩＰアドレス開放通知手段と、
ＩＰアドレスの開放を通知するＩＰアドレス開放通知受信手段と、
ＩＰアドレスの取得を完了したことを通知するＩＰアドレス取得完了手段と、
ＩＰアドレスの取得を完了したことを通知するＩＰアドレス取得完了受信手段と、
を備えることを特徴とする情報処理装置。
【請求項２】
ネットワークに接続された情報処理装置において、
ネットワーク接続時にＤＨＣＰのプロトコルに従いＩＰアドレスを取得することが可能なネットワーク制御手段と、
消費電力情報を取得する消費電力認識手段と、
ＩＰアドレスの取得を通知するＩＰアドレス取得通知手段と、
ＩＰアドレスの譲渡を申し出るＩＰアドレス譲渡申請受信手段と、
ＩＰアドレスの開放を要求するためのＩＰアドレス開放要求手段と、
ＩＰアドレスの開放を通知するＩＰアドレス開放通知受信手段と、
ＩＰアドレスの取得を完了したことを通知するＩＰアドレス取得完了手段と、
を備えることを特徴とする情報処理装置。
【請求項３】
ネットワークに接続された情報処理装置において、
ネットワーク接続時にＤＨＣＰのプロトコルに従いＩＰアドレスを取得することが可能なネットワーク制御手段と、
消費電力情報を取得する消費電力認識手段と、
ＩＰアドレスの取得を通知するＩＰアドレス取得通知受信手段と、
前記ＩＰアドレス取得通知受信手段から得た情報を比較する情報比較手段と、ＩＰアドレスの譲渡を申し出るＩＰアドレス譲渡申請手段と、
ＩＰアドレスの開放を要求するためのＩＰアドレス開放要求受信手段と、
ＩＰアドレスの開放を通知するＩＰアドレス開放通知手段と、
ＩＰアドレスの取得を完了したことを通知するＩＰアドレス取得完了受信手段と、
を備えることを特徴とする情報処理装置。
【請求項４】
前記情報処理装置は、
予め測定された消費電力情報を記録保持している記録手段と、
を備えることを特徴とする請求項１〜３の情報処理装置。
【請求項５】
前記消費電力認識手段は、
ＩＰアドレス取得通知を行うに先立ち、前記記録手段により記録されている消費電力情報を取得することを特徴とする請求項４の情報処理装置。
【請求項６】
前記消費電力認識手段は、
電力測定手段を備え、そこから消費電力情報を取得することを特徴とする請求項１〜３の情報処理装置。
【請求項７】
前記ＩＰアドレス取得通知手段は、
ＩＰアドレスのリース期間と前記電力認識手段により取得した消費電力情報を含めてＩＰアドレスの取得を通知することを特徴とする請求項１、２、４〜６の情報処理装置。
【請求項８】
前記情報比較手段は、
前記ＩＰアドレス取得通知受信手段によって得た消費電力とＤＨＣＰのリース期間を比較し、次の操作を決定することを特徴とする請求項１、３〜７の情報処理装置。
【請求項９】
前記情報比較手段は、
前記ＩＰアドレス取得通知受信手段によって得た消費電力とＤＨＣＰのリース期間を比較し、自機の消費電力よりも情報を取得した消費電力のほうが大きく、なおかつ、自記に割り当てられたＤＨＣＰのリース期間よりも情報を取得したＤＨＣＰのリース期間のほうが小さい場合、ＩＰアドレスの譲渡を申請する操作を行うことを特徴とする請求項８の情報処理装置。
【請求項１０】
前記ＩＰアドレス譲渡申請手段は、
自機の消費電力、およびＩＰアドレスのリース期間の情報を含めたことを特徴とする請求項８、９の情報処理装置。
【請求項１１】
前記ＩＰアドレス開放要求手段は、
前記ＩＰアドレス譲渡申請受信手段によって得られた情報を判断して、ＩＰアドレス開放要求することを特徴とする請求項１、２、４〜１０の情報処理装置。
【請求項１２】
前記ＩＰアドレス開放要求手段は、
前記ＩＰアドレス譲渡申請受信手段によって得られた複数のＩＰアドレス譲渡申請情報を判断して、ＩＰアドレス開放要求する情報処理装置を選択することを特徴とする請求項１、２、４〜１１の情報処理装置。
【請求項１３】
前記ＩＰアドレス開放要求受信手段は、
一定時間情報が得られなかった場合スタンバイ状態に戻ることを特徴とする請求項１、２、４〜１２の情報処理装置。
【請求項１４】
前記ＩＰアドレス開放通知手段は、
自機が省電力モードに入るときに、通知を行うことを特徴とする請求項１、３〜１３の情報処理装置。
【請求項１５】
前記ＩＰアドレス開放通知手段は、
自機が電力遮断制御を行うときに、通知を行うことを特徴とする請求項１、３〜１３の情報処理装置。
【請求項１６】
前記ＩＰアドレス開放通知手段は、
自機の使用頻度が少ないと判断したときに、通知を行うことを特徴とする請求項１、３〜１３の情報処理装置。
【発明の詳細な説明】
【技術分野】
【０００１】
本発明は、ローカルエリアネットワーク（ＬＡＮ）環境にある各種の機器において、パワーマネジメント機能を搭載した装置の制御技術に関する。
【背景技術】
【０００２】
ローカルエリアネットワーク(LAN)には、DHCP(Dynamic Host Configuration Protocol)というプロトコルがある。DHCPとは、ネットワーク上にDHCPサーバを設置し、同様にネットワークにつながれたクライアントPCに対し、動的にIPアドレスを割り当てる方法である。（非特許文献１参照）。
【０００３】
固定IPを利用する場合、ネットワークの管理者はIPアドレスを管理し、このIPをクライアント毎に割り振り、クライアントはこのIPアドレスを設定する必要があった。この固定IPアドレスを割り振るネットワーク環境においては、管理者がネットワークを常に管理しなければならないため管理者に負担が掛かるということや、クライアントのIPアドレスの設定ミスによって、ネットワークに多大な影響を与える可能性がある。
【０００４】
この不都合を解消するため、DHCPでは、DHCPサーバがネットワークにつながれたクライアントPCの要求に応じてIPアドレスを自動的に割り振る機構を備える。このためDHCPを用いることにより、今まで、ネットワークの構成が変更するたびにIPアドレスを設定しなおすという煩雑な手間を省くことができるようになった。
【０００５】
DHCPではIPアドレスの割り当てに関して、次の３つの方法がある。「自動割り当て」では、DHCPはそのクライアントがずっと使用していいアドレスを割り当てる。「動的割り当て」では、DHCPサーバはクライアントPCにアドレスを一定時間リースする。「手動割り当て」では、ネットワーク管理者が割り当てられるIPアドレスを決めておき、DHPCサーバは単にクライアントPCにIPアドレスを配布するためだけに使用される。
【０００６】
このうち「動的割り当て」ではDHCPサーバがクライアントPCに対して一定期間IPアドレスを割り当てる方法である。この「動的割り当て」の仕組みは、クライアントがIPアドレスを使用したい旨を要求し、DHCPサーバがIPアドレスを割り振ったら、そのIPアドレスを他のクライアントに割り当てをしないようにする。クライアントがそのネットワークから外れた場合、DHCPサーバは、同じIPアドレスを他のクライアントに割り当てても良い。この再利用の操作によりIPアドレスの枯渇を防ぐことになる。このように限られたIPアドレスを効率的に使用することができるため、もっとも多く用いられている。
【０００７】
この、「動的割り当て」では、サーバとクライアント間で以下のようにネゴシエーションしてIPアドレスをリースする。
（１）  IPアドレスを要求するDHCPDISCOVERの信号をブロードキャストする。
（２）  DHCPサーバからの応答であるDHCPOFFER信号を受ける。
（３）  IPアドレスの割り当てをDHCPサーバへ要求するDHCPREQUESTを送る。
（４）  DHCPサーバがIPアドレスを割り当てたことを伝えるDHCPACKを受ける。
【０００８】
一方で近年、ノートパソコンなどのモバイル機器が普及してきているが、そのようなモバイル機器では消費電力を抑え、内蔵電池でより長時間の使用が出来ることが求められている。
【０００９】
また、昨今、全世界的に環境負荷の低減を推進する動きが広がっている。国家レベルで規制を設け、規制を満たしていない電化製品には、販売の認可を与えない、などの制限を設ける場合もある。今後消費電力においても同様に規制が厳しくなっていくと考えられる。
【００１０】
このため、今後市場に出る装置には、パワーマネジメント機能を持たせることが必要になると考えられる。パワーマネジメント機能とはユーザーが使用してない間、機能の一部を停止させることにより、消費電力を低減させ、ユーザーの操作や、ユーザーが使用する別のホストからのアクセスがあると通常状態に復帰する機能である。
【００１１】
しかし、DHCP環境において、パワーマネジメント機能を使用することに対しては、問題点がある。
【００１２】
DHCP環境でのリジュームの方法として、クライアントがIPアドレスを保持したままスリープ・モードに移行する方法を採るとリジューム時にIPアドレスの重複が発生してしまう。一方、スリープ・モード移行時にIPアドレスを開放してからスリープ・モードになる方法を採ると、先に説明したようなIPアドレスリースのネゴシエーションが必要であるため、リジューム時に長時間要してしまう。
【００１３】
この問題を回避するため、リース期間として設定された時間が経つたびに、装置をリジュームし、ＤＨＣＰサーバに再リースを要求する制御方法が考えられる。
【００１４】
図６は上述したリース期間が経つたびに、装置をリジュームする方法を示したものである。リジュームした期間の間に、ＤＨＣＰサーバに再リースを要求し、取得するための制御を行う。この制御によって、ＤＨＣＰ環境下においても、安定したパワーマネジメント制御を行うことができる。
【非特許文献１】ＲＦＣ２１３１（Ｎｅｔｗｏｒｋ  Ｗｏｒｋｉｎｇ  Ｇｒｏｕｐ  Ｒｅｑｕｅｓｔ  ｆｏｒ  Ｃｏｍｍｅｎｔｓ：２１３１）
【発明の開示】
【発明が解決しようとする課題】
【００１５】
ＤＨＣＰのリース期間は使用環境に合わせた柔軟性を持たせるため、32ビットの秒表記で、0から約136年間までの任意の値を取ることができる。このＩＰアドレスのリース期間は、サーバ側でＩＰアドレスに付随する形で割り当てている。
【００１６】
背景技術で説明したように、リース期間が迫るたびにリジュームする制御方法を用いた場合、消費電力が大きい装置に、より長いリース期間のＩＰアドレスを割り当てた方が効果的に省電力の制御をすることが可能であるが、そうした制御方法はなかった。
【課題を解決するための手段】
【００１７】
請求項１記載の発明は、ネットワークに接続された情報処理装置において、
ネットワーク接続時にＤＨＣＰのプロトコルに従いＩＰアドレスを取得することが可能なネットワーク制御手段と、
消費電力情報を取得する消費電力認識手段と、
ＩＰアドレスの取得を通知するＩＰアドレス取得通知手段と、
ＩＰアドレスの取得を通知するＩＰアドレス取得通知受信手段と、
前記ＩＰアドレス取得通知受信手段から得た情報を比較する情報比較手段と、
ＩＰアドレスの譲渡を申し出るＩＰアドレス譲渡申請手段と、
ＩＰアドレスの譲渡を申し出るＩＰアドレス譲渡申請受信手段と、
ＩＰアドレスの開放を要求するためのＩＰアドレス開放要求手段と、
ＩＰアドレスの開放を要求するためのＩＰアドレス開放要求受信手段と、
ＩＰアドレスの開放を通知するＩＰアドレス開放通知手段と、
ＩＰアドレスの開放を通知するＩＰアドレス開放通知受信手段と、
ＩＰアドレスの取得を完了したことを通知するＩＰアドレス取得完了手段と、
ＩＰアドレスの取得を完了したことを通知するＩＰアドレス取得完了受信手段と、
を備えることを特徴とする情報処理装置である。
【００１８】
請求項２記載の発明は、ネットワークに接続された情報処理装置において、
ネットワーク接続時にＤＨＣＰのプロトコルに従いＩＰアドレスを取得することが可能なネットワーク制御手段と、
消費電力情報を取得する消費電力認識手段と、
ＩＰアドレスの取得を通知するＩＰアドレス取得通知手段と、
ＩＰアドレスの譲渡を申し出るＩＰアドレス譲渡申請受信手段と、
ＩＰアドレスの開放を要求するためのＩＰアドレス開放要求手段と、
ＩＰアドレスの開放を通知するＩＰアドレス開放通知受信手段と、
ＩＰアドレスの取得を完了したことを通知するＩＰアドレス取得完了手段と、
を備えることを特徴とする情報処理装置である。
【００１９】
請求項３記載の発明は、ネットワークに接続された情報処理装置において、
ネットワーク接続時にＤＨＣＰのプロトコルに従いＩＰアドレスを取得することが可能なネットワーク制御手段と、
消費電力情報を取得する消費電力認識手段と、
ＩＰアドレスの取得を通知するＩＰアドレス取得通知受信手段と、
前記ＩＰアドレス取得通知受信手段から得た情報を比較する情報比較手段と、ＩＰアドレスの譲渡を申し出るＩＰアドレス譲渡申請手段と、
ＩＰアドレスの開放を要求するためのＩＰアドレス開放要求受信手段と、
ＩＰアドレスの開放を通知するＩＰアドレス開放通知手段と、
ＩＰアドレスの取得を完了したことを通知するＩＰアドレス取得完了受信手段と、
を備えることを特徴とする情報処理装置である。
【００２０】
請求項４記載の発明は、前記情報処理装置は、
予め測定された消費電力情報を記録保持している記録手段と、
を備えることを特徴とする請求項１〜３の情報処理装置である。
【００２１】
請求項５記載の発明は、前記消費電力認識手段は、
ＩＰアドレス取得通知を行うに先立ち、前記記録手段により記録されている消費電力情報を取得することを特徴とする請求項４の情報処理装置である。
【００２２】
請求項６記載の発明は、前記消費電力認識手段は、
電力測定手段を備え、そこから消費電力情報を取得することを特徴とする請求項１〜３の情報処理装置である。
【００２３】
請求項７記載の発明は、前記ＩＰアドレス取得通知手段は、
ＩＰアドレスのリース期間と前記電力認識手段により取得した消費電力情報を含めてＩＰアドレスの取得を通知することを特徴とする請求項１、２、４〜６の情報処理装置である。
【００２４】
請求項８記載の発明は、前記情報比較手段は、
前記ＩＰアドレス取得通知受信手段によって得た消費電力とＤＨＣＰのリース期間を比較し、次の操作を決定することを特徴とする請求項１、３〜７の情報処理装置である。
【００２５】
請求項９記載の発明は、前記情報比較手段は、
前記ＩＰアドレス取得通知受信手段によって得た消費電力とＤＨＣＰのリース期間を比較し、自機の消費電力よりも情報を取得した消費電力のほうが大きく、なおかつ、自記に割り当てられたＤＨＣＰのリース期間よりも情報を取得したＤＨＣＰのリース期間のほうが小さい場合、ＩＰアドレスの譲渡を申請する操作を行うことを特徴とする請求項８の情報処理装置である。
【００２６】
請求項１０記載の発明は、前記ＩＰアドレス譲渡申請手段は、
自機の消費電力、およびＩＰアドレスのリース期間の情報を含めたことを特徴とする請求項８、９の情報処理装置である。
【００２７】
請求項１１記載の発明は、前記ＩＰアドレス開放要求手段は、
前記ＩＰアドレス譲渡申請受信手段によって得られた情報を判断して、ＩＰアドレス開放要求することを特徴とする請求項１、２、４〜１０の情報処理装置である。
【００２８】
請求項１２記載の発明は、前記ＩＰアドレス開放要求手段は、
前記ＩＰアドレス譲渡申請受信手段によって得られた複数のＩＰアドレス譲渡申請情報を判断して、ＩＰアドレス開放要求する情報処理装置を選択することを特徴とする請求項１、２、４〜１１の情報処理装置である。
【００２９】
請求項１３記載の発明は、前記ＩＰアドレス開放要求受信手段は、
一定時間情報が得られなかった場合スタンバイ状態に戻ることを特徴とする請求項１、２、４〜１２の情報処理装置である。
【００３０】
請求項１４記載の発明は、前記ＩＰアドレス開放通知手段は、
自機が省電力モードに入るときに、通知を行うことを特徴とする請求項１、３〜１３の情報処理装置である。
【００３１】
請求項１５記載の発明は、前記ＩＰアドレス開放通知手段は、
自機が電力遮断制御を行うときに、通知を行うことを特徴とする請求項１、３〜１３の情報処理装置である。
【００３２】
請求項１６記載の発明は、前記ＩＰアドレス開放通知手段は、
自機の使用頻度が少ないと判断したときに、通知を行うことを特徴とする請求項１、３〜１３の情報処理装置である。
【発明の効果】
【００３３】
以上説明したように、ＤＨＣＰのプロトコルにしたがってＩＰアドレスを取得したとき、自機の消費電力とＤＨＣＰのリース期間の情報を他機に送信する。その情報を受信した他機は取得した情報と、自機の消費電力、リース期間を比較し、他機の消費電力が自機の消費電力より大きく、かつ、他機のリース期間が自機のリース期間より短い場合、ＩＰアドレスの譲渡の操作を行う。
【００３４】
この制御により、個々のプリンタにおいては、消費電力の増減がある。しかし、消費電力が大きい装置にリース期間が長いＩＰアドレスを割り当てられることのより、ネットワーク全体の省電力化を行うことができる。
【発明を実施するための最良の形態】
【００３５】
発明を実施するための最良の形態は、次の実施例である。
【実施例１】
【００３６】
図１は、本実施例における、ネットワーク環境におけるパワーマネジメント制御を行う画像形成装置の構成図である。
【００３７】
なお、本明細書における実施例ではホストに接続された画像形成装置による例をあげるが、画像形成装置に限らず、その他の周辺機器、またはホストとなるＰＣの場合においても、ネットワークに接続される情報処理装置ならば、本特許の権利に含まれる。
【００３８】
同図において、１００は画像形成装置の全体構成図である。１１０はホストから受け取ったデータを処理するコントローラ部である。１１９は操作パネル部であり、画像形成装置の状態を設定するキーや、表示を行う液晶パネルおよびLEDを備えている。
【００３９】
１１１はコントローラＣＰＵであり、画像形成装置のコントローラ部を制御する。１１２はＲＯＭであり、コントローラ部の制御を行うプログラムを格納している。１１３はＲＡＭであり、データの読み書き可能なメモリである。１１４は画像形成部であり、受信した画像を処理して印刷を行う。１１５はネットワーク通信制御部であり、ネットワーク環境につながり、同様にネットワーク環境につながれているホストから画像データを受け取り画像形成装置で印刷することができる。１１６はＲＴＣ（Real Time Clock）であり、IPアドレスのリース延長をするために復帰する時間などを管理する。１１７は、ＥＥＰＲＯＭであり、読み書き可能なメモリである。１１８は操作パネルI/F部であり、操作パネルとの通信を行う。
【００４０】
図２は、ＤＨＣＰのプロトコルに従いＩＰアドレスを取得する制御方法を示したフローチャートである。
【００４１】
電源が投入されるとＳ２１１において初期化の動作を行う。Ｓ２１２ではIPアドレスを取得するため、DHCPDISCOVERの信号をブロードキャストする。このとき要求するＩＰアドレスがある場合、DHCPDISCOVERに、その情報を含めて送信する。サーバ側ではＳ２０１において、DHCPDISCOVERの信号を受信すると、IPアドレスを供給できる場合、Ｓ２０２において、DHCPOFFERの信号をクライアントに送信する。クライアント側ではＳ２１３において、DHCPOFFERの信号を受信する。
【００４２】
クライアント側では、Ｓ２１４において、選択したサーバ情報を含んだDHCPREQUESTを送信する。サーバ側では、Ｓ２０３でDHCPREQUESTを受信して、自サーバが選択されたことを認識すると割り当てられるIPアドレス情報を含んだDHCPACKをクライアントへ送信する。クライアント側ではＳ２１５において、DHCPACKを受信して、その情報に基づきIPアドレスを設定し、Ｓ２１６において、ＩＰアドレスを保存し、スタンバイ状態になる。
【００４３】
図３は、本実施例における、ＩＰアドレス譲渡のためのフローチャートである。
【００４４】
図中に示したように、説明内において、Ｗａ はプリンタＡの消費電力であり、Ｗｂ はプリンタＢの消費電力であり、ＴａはＤＨＣＰサーバよりプリンタＡに割り当てられたＩＰアドレスのリース期間であり、ＴｂはプリンタＢのリース期間である。
【００４５】
ＩＰアドレスのリース時間は、サーバで設定されており、ＩＰアドレスに付随している。
【００４６】
同図において、プリンタＡは、Ｓ３０１では、図２で示したフローでＩＰアドレスを取得する。ＩＰアドレスを取得したのち、Ｓ３０２において、ＩＰアドレスを取得したことを通知するＩＰアドレス取得通知パケットの送信を行う。このとき、プリンタＡの消費電力情報Ｗａと、プリンタＡが獲得したＩＰアドレスのリース期間Ｔａ の情報を送信する。
【００４７】
プリンタＢは、Ｓ３１１において、ＩＰアドレス取得通知パケットを受信する。Ｓ３１２において、Ｓ３１１で取得したＷａとＴａを、それぞれプリンタＢの消費電力ＷｂとプリンタＢが取得したＩＰアドレスのリース期間Ｔｂを比較する。ここで、
Ｗａ＞Ｗｂ
かつ
Ｔａ＜Ｔｂ
の場合、Ｓ３１３に進む。そうでない場合は再びスタンバイ状態となる。Ｓ３１３においては、ＩＰアドレスを譲渡することを申し出るＩＰアドレス譲渡申請パケットを送信する。このＩＰアドレス譲渡パケットの中に、Ｗｂ、Ｔｂの情報を含めても良い。
【００４８】
プリンタＡは、Ｓ３０３において、ＩＰアドレス譲渡パケットを受信すると、プリンタＢのＩＰアドレス譲渡の申し出を受け入れるならば、Ｓ３０４において、ＩＰアドレスの開放を要求するＩＰアドレス開放要求パケットを送信する。このとき、プリンタＡは複数のＩＰアドレス譲渡パケット受信を受けてから、その内容を見て、ＩＰアドレスの開放を要求するプリンタを選択しても良い。
【００４９】
プリンタＢはＳ３１４において、ＩＰアドレス譲渡パケットを受信すると、Ｓ３１５において、ＩＰアドレスを開放する。その後、Ｓ３１６において、ＩＰアドレスを開放した旨の連絡を行うＩＰアドレス開放通知パケットを送信する。このときプリンタＢはＩＰアドレスを開放してしまっているので、ブロードキャストで、プリンタＡのMacアドレスを指定して送信する。
【００５０】
プリンタＡは、Ｓ３０５において、ＩＰアドレス開放通知パケットを受信すると、まずＳ３０６において、ＩＰアドレスを開放する。その後Ｓ３０７において、ＤＨＣＰのプロトコルに従い、プリンタＢがＳ３１５で開放したＩＰアドレスを要求する。ＩＰアドレスを取得したら、Ｓ３０８において、ＩＰアドレスを取得したことをプリンタＢに知らせるための、ＩＰアドレス取得完了パケットを送信する。このときプリンタＢはＩＰアドレスを開放してしまっているので、ブロードキャストで、プリンタＢのMacアドレスを指定して送信する。
【００５１】
プリンタＢは、Ｓ３１７において、ＩＰアドレス取得完了パケットを受信する。その後Ｓ３１８において、ＤＨＣＰのプロトコルに従い、ＩＰアドレスを取得する。そのとき、プリンタＡがＳ３０６において開放したＩＰアドレスを要求しても良いし、サーバが任意に配布するＩＰアドレスを要求しても良い。
【００５２】
消費電力情報は、設計時の既知である値を用いてもよいし、消費電力を測定する機構があれば、その機構から取得した値を用いても良い。
【００５３】
図４と図５は、本実施例の効果を示すための図である。この図によって、本実施例の効果を具体的に示す。
【００５４】
同図においては、
Ｗａ＞Ｗｂ
かつ
Ｔａ＜Ｔｂ
の状態であった場合の制御前と制御後の消費電力の様子を示す。
【００５５】
また、説明を簡単にするため３×Ｔａ＝２×Ｔｂとした。
【００５６】
図４は、本実施例を実行する前の消費電力の様子を示した図である。プリンタＡに割り当てられたＩＰアドレスをそのまま使用した場合、次のようになる。
【００５７】
ある一定期間で、プリンタＡに割り当てられたＩＰアドレスのリース期間Ｔａが３回の時間が経ったとする。その間に、リースの延長をするため、プリンタＡは３回リジュームする。一方、プリンタＢは、同期間にＩＰアドレスのリース期間Ｔｂが２回の時間が経ったことになる。この間、プリンタＢは２回リジュームする。
【００５８】
図５は、本実施例を実行した後の消費電力の様子を示した図である。本発明による制御を行ってＩＰアドレスを譲渡した場合、次のようになる。
【００５９】
ある一定期間で、プリンタＡに割り当てられたＩＰアドレスのリース期間Ｔｂが２回の時間が経ったとする。その間に、リースの延長をするため、プリンタＡは２回リジュームする。一方、プリンタＢは、同期間にＩＰアドレスのリース期間Ｔａが３回の時間が経ったことになる。この間、プリンタＢは３回リジュームする。
【００６０】
図４と図５を比較すると、個々のプリンタで見たときリース期間が短いＩＰアドレスを取得した方が、リジュームする回数が多いため、消費電力が大きくなる。つまり、プリンタＡ、ＢともにＴｂを割り当てられていたほうが消費電力は小さい。
【００６１】
しかし、ネットワーク全体で見たとき、消費電力が大きい装置にリース期間が長いＩＰアドレスが割り当てられていたほうが、全体の消費電力を低減することができる。
【図面の簡単な説明】
【００６２】
【図１】本発明の実施例１における、ネットワーク環境におけるパワーマネジメント制御を行う画像形成装置の構成図である。
【図２】実施例１における、ＤＨＣＰのプロトコルに従いＩＰアドレスを取得する制御方法を示したフローチャートである。
【図３】実施例１における、ＤＨＣＰのＩＰアドレスの譲渡を行う制御方法を示したフローチャートである。
【図４】実施例１における、本実施例を実行する前の消費電力の様子を示した図である。
【図５】実施例１における、本実施例を実行した後の消費電力の様子を示した図である。
【図６】背景技術として説明した、ＤＨＣＰ環境において、リース期間が迫るたびにリジュームして、ネットワークの接続を保持する制御方法における、消費電力の様子を示した図である。
【符号の説明】
【００６３】
１００  画像形成装置
１１０  コントローラ部
１１１  ＣＰＵ
１１２  ＲＯＭ
１１３  ＲＡＭ
１１４  画像形成部
１１５  Network制御部
１１６  ＲＴＣ
１１７  ＥＥＰＲＯＭ
１１８  操作パネルＩ／Ｆ部
１１９  操作パネル部
【図１】
2007142954.tif 000003
【図２】
2007142954.tif 000004
【図３】
2007142954.tif 000005
【図４】
2007142954.tif 000006
【図５】
2007142954.tif 000007
【図６】
2007142954.tif 000008